(57)【要約】【課題】誤操作による故障を防ぎ、信頼性に優れた給湯機を提供すること。【解決手段】浴槽と、浴室内に設けられた浴室リモコン８と、前記浴室リモコン８に設けられ、前記浴室への入浴者の入室を検出する人体検出手段９とを備え、前記人体検出手段９は、前記浴室リモコ８ンに設けられた他の操作スイッチ（１１ａ、１１ｂ、１１ｃ、１１ｄ、１１ｅ、１１ｆ、１１ｇ、１１ｈ、１１ｉ、１１ｊ）と外形形状の異なることを特徴とするもので、操作するスイッチ類とは識別しやすくなるよう配慮して、誤って人体検出手段９を押すなどという行為を回避できるため、誤操作による故障を未然に防ぐことによって信頼性を高めた給湯機を提供できる。【選択図】図２
2010181100.tif 000002
【特許請求の範囲】
【請求項１】
浴槽と、浴室内に設けられた浴室リモコンと、前記浴室リモコンに設けられ、前記浴室への入浴者の入室を検出する人体検出手段とを備え、前記人体検出手段は、前記浴室リモコンに設けられた他の操作スイッチと外形形状の異なることを特徴とする給湯機。
【請求項２】
人体検出手段は、入浴者が発する赤外線を検出する構成としたことを特徴とする請求項１に記載の給湯機。
【請求項３】
貯湯槽と、前記貯湯槽の水を加熱する貯湯槽水加熱手段とを備え、浴槽内の湯水は、前記貯湯槽水加熱手段にて加熱され、前記貯湯槽に貯湯された湯により加熱されることを特徴とする請求項１または２に記載の給湯機。
【請求項４】
貯湯槽水加熱手段は、ヒートポンプサイクルを用いた構成としたことを特徴とする請求項２に記載の給湯機。
【請求項５】
ヒートポンプサイクルは、運転時、高サイド圧力が臨界圧力を超える超臨界冷媒回路であることを特徴とする請求項４に記載の給湯機。
【発明の詳細な説明】
【技術分野】
【０００１】
本発明は、浴槽水を加熱する手段を有し、浴室内に設置する浴室リモコンを設けた給湯機に関する。
【背景技術】
【０００２】
従来、この種の給湯機は、例えば図３のようなものがある（例えば、特許文献１参照）。
【０００３】
図３に示すように、安全性を高める目的で、風呂リモコンに人感知センサを設け、この人感知センサで入浴者の異常を検知し、自動的に外部に通報する機能を備えている。
【特許文献１】特開２００１−１３３０４０号公報
【発明の開示】
【発明が解決しようとする課題】
【０００４】
しかしながら、前記従来の構成には入浴者を検出するための人感知センサをリモコンに設けたということが記述されているが、入浴者がリモコンを操作する場合の配慮は記載されていない。
【０００５】
すなわち、人感知センサは人体を検出するという動作を実現するために何らかの信号受信機能を有しており、検出精度を高める目的で最小限の保護しかなされていないので、他の操作スイッチと間違って押されるなどすると容易に破損して故障に至る可能性が高い。
【０００６】
また、この種の給湯機は多くの機能を有し、入浴者にもさまざまな操作を要求するため、誤操作の確率が高くなる。したがって、複雑な操作においても誤操作による故障を未然に回避するという課題があった。
【０００７】
本発明は、前記従来の課題を解決するもので、誤操作による故障を防ぎ、信頼性に優れた給湯機を提供することを目的とする。
【課題を解決するための手段】
【０００８】
前記従来の課題を解決するために、本発明の給湯機は、浴槽と、浴室内に設けられた浴室リモコンと、前記浴室リモコンに設けられ、前記浴室への入浴者の入室を検出する人体検出手段とを備え、前記人体検出手段は、前記浴室リモコンに設けられた他の操作スイッチと外形形状の異なることを特徴とするもので、操作するスイッチ類とは識別しやすくなるよう配慮して、誤って人体検出手段を押すなどという行為を回避できるため、誤操作による故障を未然に防ぐことによって信頼性を高めた給湯機を提供できる。
【発明の効果】
【０００９】
本発明によれば、誤操作による故障を防ぎ、信頼性に優れた給湯機を提供できる。
【発明を実施するための最良の形態】
【００１０】
第１の発明は、浴槽と、浴室内に設けられた浴室リモコンと、前記浴室リモコンに設けられ、前記浴室への入浴者の入室を検出する人体検出手段とを備え、前記人体検出手段は、前記浴室リモコンに設けられた他の操作スイッチと外形形状の異なることを特徴とするもので、操作するスイッチ類とは識別しやすくなるよう配慮して、誤って人体検出手段を押すなどという行為を回避できるため、誤操作による故障を未然に防ぐことによって信頼性を高めた給湯機を提供できる。
【００１１】
第２の発明は、人体検出手段は、入浴者が発する赤外線を検出する構成としたことを特徴とするもので、入浴者が発する赤外線を検出する構成とすることにより、受信機能だけという簡単な構成で所望の動作を実現した給湯機を提供できる。
【００１２】
第３の発明は、貯湯槽と、前記貯湯槽の水を加熱する貯湯槽水加熱手段とを備え、浴槽内の湯水は、前記貯湯槽水加熱手段にて加熱され、前記貯湯槽に貯湯された湯により加熱されることを特徴とするもので、湯を給湯用として利用するとともに、その熱を風呂の追い焚きに有効利用することが可能となる。
【００１３】
第４の発明は、貯湯槽水加熱手段は、ヒートポンプサイクルを用いた構成としたことを特徴とするもので、エネルギーの利用効率が上がり、省エネルギー性に優れた給湯機を提供できる。
【００１４】
第５の発明は、ヒートポンプサイクルは、運転時、高サイド圧力が臨界圧力を超える超臨界冷媒回路であることを特徴とするもので、沸き上げ温度を高温にできるので、利用できる熱量の増大と湯切れ防止性を向上することができる。
【００１５】
以下、本発明の実施の形態について、図面を参照しながら説明する。なお、この実施の形態によって本発明が限定されるものではない。
【００１６】
（実施の形態１）
図１は本発明の第１の実施の形態における給湯機の構成を示す図である。
【００１７】
図１において、貯湯槽１と、この貯湯槽１の水を加熱する貯湯槽水加熱手段としてのヒートポンプユニット２と、浴槽３と、貯湯槽１の湯と前記浴槽３の湯を熱交換して風呂の追い焚きをおこなう浴槽水加熱手段としての熱交換器４と、第一の循環ポンプ５と、第二の循環ポンプ６と、浴槽水温度を測定するサーミスタ７と、浴室リモコン８に設けられ、入浴者の有無を検出する人体検出手段としての赤外線センサ９と、この赤外線センサ９の出力に基づいて第一の循環ポンプ５と第二の循環ポンプ６を制御する制御手段１０とからなる。
【００１８】
図２は浴室リモコン８の外観を示す。赤外線センサ９は、他の多くの操作スイッチ１１ａ、１１ｂ、１１ｃ、１１ｄ、１１ｅ、１１ｆ、１１ｇ、１１ｈ、１１ｉ、１１ｊが長方形であるのに対し、円形の枠としてある。
【００１９】
以上のように構成された給湯機について、以下その動作、作用を説明する。
【００２０】
基本的な機能としては、ヒートポンプ２により加熱された湯が貯湯槽１に貯えられており、この湯を給湯および浴槽水の加熱に利用する。
【００２１】
浴槽水の加熱は、貯湯槽１に貯えられた高温の湯を第一の循環ポンプ５を用いて熱交換器４の一次側流路に供給するとともに、第二の循環ポンプ６により、浴槽水を熱交換器４の二次側流路に循環させることによってなされる。
【００２２】
特に、自動的に保温運転するように設定されている場合、従来のように一定時間毎に浴槽水の加熱運転を繰り返すのではなく、入浴者が入室したときに加熱運転を行い、入浴者がいないのにもかかわらず保温する無駄な加熱運転をなくすことによって省エネルギー性を向上させる。
【００２３】
このとき、入浴者は必要に応じて浴室リモコン８の操作スイッチ１１ａ〜１１ｊを操作して所望の動作を得るが、多くの機能を使いこなさなければならない。とくに、入浴者がふだん眼鏡を使用していて入浴時には視力が弱くなっている場合など、よく似た操作スイッチを間違って押される確率が高くなる。
【００２４】
したがって赤外線センサ９が操作スイッチ１１ａ〜１１ｉではないことを形状の違いによって識別できるようにし、誤操作が生じないようにする。
【００２５】
このように、省エネルギー性と利便性を向上させることを目的として入浴者１２の浴室への入室を検出する赤外線センサ９の出力に応じて、浴槽水の加熱運転を制御する方式を採用するにあたり、赤外線センサ９の外形形状を操作スイッチ１１ａ〜１１ｉとは異なる形状として入浴者による誤操作を回避し、赤外線センサ９が破損するのを防ぐことができる。
【００２６】
なお、ヒートポンプユニット２の冷凍サイクルは冷媒として二酸化炭素を用い、臨界圧を越える圧力で運転することが好ましい。二酸化炭素を冷媒として用いることで沸き上げ温度を高温にできるので、利用できる熱量の増大と湯切れ防止性を向上することができる。
【産業上の利用可能性】
【００２７】
以上のように、本発明にかかる給湯機は、簡単な構成で誤操作を防ぐことができるので、前記したような家庭用の給湯機に適用できるほか、業務用などの規模が大きく、操作が複雑な用途にも適用し、設備の管理者等に対して高い利便性を提供できる。
【図面の簡単な説明】
【００２８】
【図１】本発明の実施の形態１における給湯機の構成図
【図２】同浴室リモコンの外観図
【図３】従来の給湯機の構成図
【符号の説明】
【００２９】
１  貯湯槽
２  ヒートポンプユニット（貯湯槽水加熱手段）
３  浴槽
４  熱交換器（浴槽水加熱手段）
５  第一の循環ポンプ
６  第二の循環ポンプ
８  浴室リモコン
９  人体検出手段
１０  制御手段
１１  操作スイッチ
【図１】
2010181100.tif 000003
【図２】
2010181100.tif 000004
【図３】
2010181100.tif 000005